(57)【特許請求の範囲】
【請求項１】
発光管がランプクリップに支持される光源装置において、
貫通孔が形成された第１板材と、ハニカム構造の補強部材と、第２板材とが積層配置され、
前記ランプクリップは、
前記貫通孔に挿入されることで前記第１板材に係止され、
該第１板材は、
前記ランプクリップの係止領域を取り囲む孔群を備え、
押圧によって、前記ランプクリップが係止された状態で前記係止領域の第１板材を分断可能にしてあること
を特徴とする光源装置。
【請求項２】
表示パネルと、該表示パネルの背面に請求項１に記載の光源装置とを備えることを特徴とする表示装置。
【発明の詳細な説明】
【技術分野】
【０００１】
本発明は、機械的強度を高めることができ、また、光源の光漏れを防止するとともに、内部への異物の流入を防止することができる光源装置及び該光源装置を備える表示装置に関する。
【背景技術】
【０００２】
近年、様々な表示装置が実用化されているが、表示装置の一種である液晶表示装置は、小型、薄型、低消費電力を特徴とし、近年ではその表示品位の向上により、従来のＣＲＴに替わるディスプレイとして普及しつつある。液晶表示装置は、自己発光型のデバイスとは異なり、液晶パネルの背面に光源装置（バックライト装置）を配置する必要がある。
【０００３】
液晶表示装置に用いられるバックライト装置は、図６に示すように、ランプクリップ１０２の係止部１０２ａをバックライトシャーシである板材１００に設けた貫通孔１００ａに挿入することによって、ランプクリップ１０２を板材１００に係止し、ランプクリップ１０２の把持部１０２ｂに冷陰極線放電管（ＣＣＦＬ）１０３を把持している（例えば、特許文献１参照。）。
【０００４】
しかしながら、発光管１０３の光が貫通孔１００ａを通じて板材１００の裏面側に漏れるという問題があった。そこで、図７に示すように、板材１００の裏面側から不織布１１０を貫通孔１００ａに貼付することによって、光漏れを防止していた。
【特許文献１】特開２００６−３０９３６号公報
【発明の開示】
【発明が解決しようとする課題】
【０００５】
しかしながら、板材１００は、一般にアルミニウムなどの再利用可能な金属製であり、不織布１１０を板材１００に貼付した場合、板材１００及びランプクリップ１０２を再利用する場合には、先ず不織布１１０を板材１００から取り除く必要がある。ところで、不織布１１０には接着力がないので接着剤を用いて不織布１１０を板材１００に貼付することから、不織布１１０を取り除く際に接着剤が板材１００に残存する虞があった。したがって、接着剤が残存した場合には金属の純度が低下し、板材１００の再利用性が悪化するという問題があった。
【０００６】
また、経年変化によって接着剤の接着力が低下して不織布１１０が板材１００から剥離する虞があり、剥離した場合は、光漏れが発生するとともに、異物がバックライト装置の内部に侵入するという問題があった。
【０００７】
さらに、液晶表示装置は大画面化が容易であることから、画面サイズの大型化に伴って、それに対応してバックライト装置を大きくする必要がある。バックライト装置が大きくなれば、剛性を高めるために板材１００の厚みを厚くする必要があるため、重量が増大してしまい、ユーザが気軽に液晶表示装置を持ち運ぶことが困難となる。
【００１０】
本発明は斯かる事情に鑑みてなされたものであり、貫通孔が形成された第１板材と、ハニカム構造の補強部材と、第２板材とを積層配置し、ランプクリップが第１板材に形成された貫通孔に挿入されることで第１板材に係止され、ランプクリップの係止領域を取り囲むように第１板材に孔群を設け、ランプクリップが係止された状態でその係止領域の第１板材を分断できる構成とすることにより、板材の厚みを単に厚くした場合と比較して、重量が軽量で、かつ機械的強度が高く、さらに、外部への光漏れ及び内部への異物の流入を防止し、加えて、第１板材からランプクリップを容易に除去して、第１板材をリサイクル資源とすることができる光源装置及び該光源装置を備える表示装置の提供を目的とする。
【課題を解決するための手段】
【００１５】
本発明に係る光源装置は、発光管がランプクリップに支持される光源装置において、貫通孔が形成された第１板材と、ハニカム構造の補強部材と、第２板材とが積層配置され、前記ランプクリップは、前記貫通孔に挿入されることで前記第１板材に係止され、該第１板材が、前記ランプクリップの係止領域を取り囲む孔群を備え、押圧によって、前記ランプクリップが係止された状態で前記係止領域の第１板材を分断可能にしてあることを特徴とする。
【００１６】
本発明にあっては、貫通孔が形成された第１板材と、ハニカム構造の補強部材と、第２板材とを積層配置する。つまり、第１板材と第２板材との間隙にハニカム構造の補強部材を設ける。そして、ランプクリップを第１板材に形成された貫通孔に挿入することで第１板材に係止する。ハニカム構造は、軽量かつ高剛性であることから、板材の厚みを単純に厚くした場合と比較して、光源装置の重量を増大させることなく、機械的強度を高めることができる。また、発光管から出射された光のうち、第１板材の貫通孔を通じて第１板材の裏面側に漏れた漏光は、第２板材の存在によって光源装置の外部への導光を防止することができる。さらに、光源装置の内部への光の流入及び異物の流入を防止することができる。加えて、ランプクリップの係止領域を取り囲むように第１板材に孔群を設ける。この孔群を設けることによって、ランプクリップが係止された状態でその係止領域の第１板材を押圧により分断して除去することができる。
【００１７】
本発明に係る表示装置は、表示パネルと、該表示パネルの背面に上述した発明の光源装置とを備えることを特徴とする。
【００１８】
本発明にあっては、上述したような光源装置を表示パネルの背面側に配置することで、重量を増大させることなく、大画面化を行なうことができ、また、光源装置の外部への導光、並びに、光源装置の内部への光の流入及び異物の流入を防止することができ、加えて、ランプクリップが係止された状態でその係止領域の第１板材を押圧により分断して除去することができる。
【発明の効果】
【００２０】
本発明によれば、貫通孔が形成された第１板材と、ハニカム構造の補強部材と、第２板材とを積層配置する構成としたので、板材の厚みを単純に厚くした場合と比較して、光源装置の重量を増大させることなく、機械的強度を高めることができる。また、外部への光漏れ及び内部への異物の流入を防止することができる。そのため、製品としての品質を向上することができるとともに、異物の流入による装置寿命の短縮を防止することができる。加えて、ランプクリップの係止領域を取り囲むように第１板材に孔群を設け、ランプクリップが係止された状態でその係止領域の第１板材を分断できる構成としたので、第１板材からランプクリップを容易に除去することができる。したがって、第１板材をリサイクル資源とすることができる。
【００２１】
本発明によれば、上述したような光源装置を表示パネルの背面側に配置することで、重量を増大させることなく、大画面化を行なうことができる。したがって、大画面の表示装置をユーザが気軽に持ち運ぶことができる。また、光源装置の外部への導光、並びに光源装置の内部への光の流入及び異物の流入を防止することができ、第１板材をリサイクル資源とすることができる等、優れた効果を奏する。
【発明を実施するための最良の形態】
【００２２】
以下、本発明をその実施の形態を示す図面に基づいて詳述する。
【００２３】
図１は本発明に係る表示装置である液晶表示装置の構成を示す側断面図、図２は本発明に係る光源装置としてのバックライト装置の構成を示す分解斜視図である。なお、図２においては、構成要素の一部（例えば反射シート１１など）を省略することによって本発明の特徴をわかり易くしている。
本発明に係る表示装置である液晶表示装置は、液晶パネル２と、液晶パネル２の背面に光源装置としてのバックライト装置１とを備える。
【００２４】
液晶パネル２は、一対の透明板２１，２２が対向配置され、透明板２１，２２の周辺部をシール材などで封止することによって生じた間隙に液晶物質２０が充填された構成をしている。もちろん、球状又は柱状のスペーサを用いてギャップを精度良く保持することが好ましい。一方の透明板２１にはマトリックス状に配置されたＩＴＯ、ＮＥＳＡなどの透明性の画素電極と、画素電極への電荷の供給を制御するためのＴＦＴとが形成されており、他方の透明板２２にはコモン電極と呼ばれる透明性の共通電極が形成されている。ＴＦＴのゲート及びソースは、それぞれゲートドライバ及びソースドライバの各出力段に接続されている。
【００２５】
透明板２１，２２の表面には、相互の偏光軸方向が直交した２枚の偏光板２３，２４がそれぞれ貼付されており、ゲートドライバから入力されたゲート信号によって各画素電極のオン／オフが制御され、ソースドライバから入力されたデータ信号をオン期間に各画素電極へ印加することによって、画素電極に印加された電圧と対向電極に印加された電圧との電圧差に基づいて、液晶物質２０の光透過率を制御する。
【００２６】
バックライト装置１は、第１板材１０の内側面に反射シート１１が配置されている。反射シート１１は、例えば、アルミニウムなどの光反射性材料からなり、後述のＣＣＦＬ１３からの出射光を前面に反射させるようにしてある。
【００２７】
第１板材１０には、複数の貫通孔１０ａが形成されており、この貫通孔１０ａにランプクリップ１２の係止部１２ａが挿入され、ランプクリップ１２が第１板材１０に固定されている。本例では、反射シート１１の上側からランプクリップ１２を挿入することから、反射シート１１にも、貫通孔１０ａと重なる位置に貫通孔が設けられている。
【００２８】
ランプクリップ１２は、把持部１２ｂにてＣＣＦＬ１３の直管部分を把持する。また、ランプクリップ１２には、円錐状の柱部１２ｃが設けられており、この柱部１２ｃにて、拡散板１７及びプリズムシート１８などを支持し、拡散板１７及びプリズムシート１８が内側に撓まないようにしている。
【００２９】
第１板材１０の裏面側、すなわちＣＣＦＬ１３が設けられた側の反対側には、ハニカム構造の補強部材１５及び第２板材１６がこの順序で積層配置されている。
【００３０】
補強部材１５は平面視が六角形のセル１５ａを有しており、図３に示すように、切込み１５０ａを千鳥配置で設けた板材１５０の両辺を外向きの力で引っ張ることで、六角形のセル１５ａを有する補強部材１５を容易に得ることができる。ハニカム構造は、軽量かつ高剛性であることから、バックライト装置の重量を増大させることなく、機械的強度を高めることができるため、特に大型の表示装置に好適である。なお、貫通孔１０ａと補強部材１５の壁部が重なってしまうと、ランプクリップ１２の係止部１２ａを貫通孔１０ａに挿入して係止することができなくので、図４に示すように、第１板材１０に設ける貫通孔１０ａの位置が、補強部材のセル１５ａの内部になるように設計しておく。
【００３１】
第２板材１６には貫通孔が未形成であり、図１の矢符Ｌに示したように、ＣＣＦＬ１３の光が第１板材１０の貫通孔１０ａを通じて第１板材１０の裏面側に漏れた場合であっても、第２板材１６の存在によって第２板材１６の裏面側に漏れることはない。なぜなら、貫通孔１０ａを通じて、第１板材１０、補強部材１５の壁部及び第２板材１６によって形成される空間に導光された光は、その空間によって減衰されるまで反射を繰り返すか、又は貫通孔１０ａを通じて元のＣＣＦＬ１３側へ導光することから、第２板材１６の裏面側に漏れることはない。これにより、ＣＣＦＬ１３の光は液晶パネルが配置された方向にのみ光が出射される。
【００３２】
また、第２板材１６には貫通孔が未形成であることから、バックライト装置の内部に、外部からの光が流入したり、異物が流入したりすることを防止できる。したがって、異物のＣＣＤＬ１３の電極への付着を防ぎ、装置寿命の短縮を防止することができる。しかも、不織布を板材へ貼付する従来の形態（図７参照）と比較した場合、意匠性に優れており、商品価値を向上することができる。
【００３３】
ところで、第１板材１０の裏面側に、補強部材１５及び第２板材１６をこの順序で配置することによって、ランプクリップ１２の係止部１２ａを触れることができなくなるため、ランプクリップ１２を第１板材１０から取り外すことができなくなる場合がある。そこで、図５に示すように、第１板材１０に、ランプクリップ１２が配置された領域Ｒを取り囲むように孔群（ミシン目）１０ｂを設け（図５（ａ））、ランプクリップ１２を第１板材１０の領域Ｒの部分ごと、押圧によって除去する（図５（ｂ））。除去された領域Ｒの第１板材１０からランプクリップ１２のみを取り外すことができるので、各部材をリサイクルすることができる。
【００３４】
以上、本発明に係る光源装置及び表示装置について、具体的な実施の形態を示して説明したが、本発明はこれらに限定されるものではない。当業者であれば、本発明の要旨を逸脱しない範囲内において、上述した実施の形態に係る発明の構成及び機能に様々な変更又は改良を加えることが可能である。
【図面の簡単な説明】
【００３５】
【図１】本発明に係る表示装置である液晶表示装置の構成を示す側断面図である。
【図２】本発明に係る光源装置としてのバックライト装置の構成を示す分解斜視図である。
【図３】補強部材の概要を示す斜視図である。
【図４】第１板材に設ける貫通孔の配置位置を示す平面図である。
【図５】第１板材に設ける孔群（ミシン目）を示す斜視図である。
【図６】液晶表示装置に用いられるバックライト装置の従来例を示す側断面図である。
【図７】従来の光漏れの防止方法を示すバックライト装置の側断面図である。
【符号の説明】
【００３６】
１  バックライト装置
２  液晶パネル
１０  第１板材
１０ａ  貫通孔
１２  ランプクリップ
１２ａ  係止部
１２ｂ  把持部
１２ｃ  柱部
１３  ＣＣＦＬ
１５  補強部材
１５ａ  セル
１６  第２板材
【図１】
0004540633.tif 000002
【図２】
0004540633.tif 000003
【図３】
0004540633.tif 000004
【図４】
0004540633.tif 000005
【図５】
0004540633.tif 000006
【図６】
0004540633.tif 000007
【図７】
0004540633.tif 000008